【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
画像供給源からの画像情報を受け取り、前記画像情報に基づいて画像形成装置により像形成させる中継装置であって、
画像形成装置及び画像供給源と排他的に接続可能な接続用端子と、
前記接続用端子に画像供給源が接続された場合、前記画像供給源から取得した画像情報と、像形成対象の画像形成装置の機器情報とを記憶する画像記憶手段と、
前記接続用端子に画像形成装置が接続された場合、前記接続された画像形成装置の機器情報を取得する取得手段と、
前記取得手段により取得した前記機器情報に基づいて、前記像形成対象の画像形成装置が接続されたかどうかを判断する判断手段と、
前記判断手段により前記像形成対象の画像形成装置が接続されたと判断した場合に、前記像形成対象の画像形成装置の機器情報に応じて、前記画像記憶手段に記憶された前記画像情報を前記像形成対象の画像形成装置用の像形成データに変換して当該画像形成装置に供給する像形成制御手段と、
を有することを特徴とする中継装置。
【請求項２】
前記画像形成装置との通信プロトコルはＰＴＰ（Picture Transfer Protocol）を用いることを特徴とする請求項１に記載の中継装置。
【請求項３】
前記接続用端子を介して接続されたことのある画像形成装置の機器情報を複数保持する保持手段を更に有することを特徴とする請求項１又は２に記載の中継装置。
【請求項４】
前記機器情報は、ベンダ名、ベンダコード、機種名、機種コード、製造番号、像形成能力の少なくともいずれか１つを含むことを特徴とする請求項１乃至３のいずれか１項に記載の中継装置。
【請求項５】
画像供給源からの画像情報を受け取り、前記画像情報に基づいて画像形成装置により像形成させる中継装置であって、
前記画像供給源と通信を行うための第１通信用端子と、
外部機器と接続するための第２通信用端子と、
前記第２通信用端子に接続された外部機器の機器情報を取得する取得手段と、
前記取得手段により取得した前記機器情報に基づいて、前記外部機器が前記像形成対象の画像形成装置かどうかを判断する判断手段と、
前記判断手段により前記外部機器が前記像形成対象の画像形成装置であると判断した場合に、接続された画像形成装置の機器情報に応じて、前記第１通信用端子を介して前記画像供給源から取得した画像情報を像形成データに変換して前記接続された画像形成装置に供給する像形成制御手段と、
前記第２通信用端末に画像形成装置が接続されていないと判断した場合に、前記第１通信用端子を介して前記画像供給源から取得した画像情報を記憶する画像記憶手段と、
を有することを特徴とする中継装置。
【請求項６】
前記第２通信用端子は、ＵＳＢ規格準拠のＡコネクタであることを特徴とする請求項５に記載の中継装置。
【請求項７】
前記第１通信用端子は、赤外線送受信端子であることを特徴とする請求項５又は６に記載の中継装置。
【請求項８】
画像供給源からの画像情報を受け取り、前記画像情報に基づいて画像形成装置により像形成させる中継装置の制御方法であって、
画像形成装置及び画像供給源と排他的に接続可能な接続用端子に画像供給源が接続された場合、前記画像供給源から取得した画像情報と、像形成対象の画像形成装置の機器情報とをメモリに記憶する画像記憶工程と、
前記接続用端子に画像形成装置が接続された場合、前記接続された画像形成装置の機器情報を取得する取得工程と、
前記取得工程で取得した前記機器情報に基づいて、前記接続された画像形成装置が前記像形成対象の画像形成装置かどうかを判断する判断工程と、
前記判断工程で前記像形成対象の画像形成装置であると判断した場合に、前記像形成対象の画像形成装置の機器情報に応じて、前記メモリに記憶された前記画像情報を前記像形成対象の画像形成装置用の像形成データに変換して当該画像形成装置に供給する像形成制御工程と、
を有することを特徴とする中継装置の制御方法。
【請求項９】
前記画像形成装置との通信プロトコルは、ＰＴＰを用いることを特徴とする請求項８に記載の中継装置の制御方法。
【請求項１０】
前記接続用端子を介して接続されたことのある画像形成装置の機器情報を複数保持する保持工程を更に有することを特徴とする請求項８又は９に記載の中継装置の制御方法。
【請求項１１】
前記機器情報は、ベンダ名、ベンダコード、機種名、機種コード、製造番号、像形成能力の少なくともいずれか１つを含むことを特徴とする請求項８乃至１１のいずれか１項に記載の中継装置の制御方法。
【請求項１２】
画像供給源からの画像情報を受け取り、前記画像情報に基づいて画像形成装置により像形成させる中継装置の制御方法であって、
第１通信用端子を介して前記画像供給源から画像情報を取得する画像取得工程と、
外部機器と接続するための第２通信用端子に接続された外部機器の機器情報を取得する取得工程と、
前記取得工程で取得した前記機器情報に基づいて、前記外部機器が前記像形成対象の画像形成装置かどうかを判断する判断工程と、
前記判断工程で前記外部機器が前記像形成対象の画像形成装置であると判断した場合に、前記接続された画像形成装置の機器情報に応じて、前記第１通信用端子を介して前記画像供給源から取得した画像情報を像形成データに変換して前記接続された画像形成装置に供給する像形成制御工程と、
前記第２通信用端末に画像形成装置が接続されていないと判断した場合に、前記画像取得工程により前記画像供給源から画像情報を取得してメモリに記憶する画像記憶工程と、を有することを特徴とする中継装置の制御方法。
【請求項１３】
前記第２通信用端子は、ＵＳＢ規格準拠のＡコネクタであることを特徴とする請求項１２に記載の中継装置の制御方法。
【請求項１４】
前記第１通信用端子は、赤外線送受信端子であることを特徴とする請求項１２又は１３に記載の中継装置の制御方法。
【手続補正２】
【補正対象書類名】明細書
【補正対象項目名】０００９
【補正方法】変更
【補正の内容】
【０００９】
本発明の一態様に係る中継装置は以下のような構成を備える。即ち、
画像供給源からの画像情報を受け取り、前記画像情報に基づいて画像形成装置により像形成させる中継装置であって、
画像形成装置及び画像供給源と排他的に接続可能な接続用端子と、
前記接続用端子に画像供給源が接続された場合、前記画像供給源から取得した画像情報と、像形成対象の画像形成装置の機器情報とを記憶する画像記憶手段と、
前記接続用端子に画像形成装置が接続された場合、前記接続された画像形成装置の機器情報を取得する取得手段と、
前記取得手段により取得した前記機器情報に基づいて、前記像形成対象の画像形成装置が接続されたかどうかを判断する判断手段と、
前記判断手段により前記像形成対象の画像形成装置が接続されたと判断した場合に、前記像形成対象の画像形成装置の機器情報に応じて、前記画像記憶手段に記憶された前記画像情報を前記像形成対象の画像形成装置用の像形成データに変換して当該画像形成装置に供給する像形成制御手段と、
を有することを特徴とする。
【手続補正３】
【補正対象書類名】明細書
【補正対象項目名】００１０
【補正方法】変更
【補正の内容】
【００１０】
本発明の一態様に係る中継装置は以下のような構成を備える。即ち、
画像供給源からの画像情報を受け取り、前記画像情報に基づいて画像形成装置により像形成させる中継装置であって、
前記画像供給源と通信を行うための第１通信用端子と、
外部機器と接続するための第２通信用端子と、
前記第２通信用端子に接続された外部機器の機器情報を取得する取得手段と、
前記取得手段により取得した前記機器情報に基づいて、前記外部機器が前記像形成対象の画像形成装置かどうかを判断する判断手段と、
前記判断手段により前記外部機器が前記像形成対象の画像形成装置であると判断した場合に、接続された画像形成装置の機器情報に応じて、前記第１通信用端子を介して前記画像供給源から取得した画像情報を像形成データに変換して前記接続された画像形成装置に供給する像形成制御手段と、
前記第２通信用端末に画像形成装置が接続されていないと判断した場合に、前記第１通信用端子を介して前記画像供給源から取得した画像情報を記憶する画像記憶手段と、
を有することを特徴とする。
【手続補正４】
【補正対象書類名】明細書
【補正対象項目名】００１１
【補正方法】変更
【補正の内容】
【００１１】
本発明の一態様に係る中継装置の制御方法は以下のような工程を備える。即ち、
画像供給源からの画像情報を受け取り、前記画像情報に基づいて画像形成装置により像形成させる中継装置の制御方法であって、
画像形成装置及び画像供給源と排他的に接続可能な接続用端子に画像供給源が接続された場合、前記画像供給源から取得した画像情報と、像形成対象の画像形成装置の機器情報とをメモリに記憶する画像記憶工程と、
前記接続用端子に画像形成装置が接続された場合、前記接続された画像形成装置の機器情報を取得する取得工程と、
前記取得工程で取得した前記機器情報に基づいて、前記接続された画像形成装置が前記像形成対象の画像形成装置かどうかを判断する判断工程と、
前記判断工程で前記像形成対象の画像形成装置であると判断した場合に、前記像形成対象の画像形成装置の機器情報に応じて、前記メモリに記憶された前記画像情報を前記像形成対象の画像形成装置用の像形成データに変換して当該画像形成装置に供給する像形成制御工程と、
を有することを特徴とする。
【手続補正５】
【補正対象書類名】明細書
【補正対象項目名】００１２
【補正方法】変更
【補正の内容】
【００１２】
本発明の一態様に係る中継装置の制御方法は以下のような工程を備える。即ち、
画像供給源からの画像情報を受け取り、前記画像情報に基づいて画像形成装置により像形成させる中継装置の制御方法であって、
第１通信用端子を介して前記画像供給源から画像情報を取得する画像取得工程と、
外部機器と接続するための第２通信用端子に接続された外部機器の機器情報を取得する取得工程と、
前記取得工程で取得した前記機器情報に基づいて、前記外部機器が前記像形成対象の画像形成装置かどうかを判断する判断工程と、
前記判断工程で前記外部機器が前記像形成対象の画像形成装置であると判断した場合に、前記接続された画像形成装置の機器情報に応じて、前記第１通信用端子を介して前記画像供給源から取得した画像情報を像形成データに変換して前記接続された画像形成装置に供給する像形成制御工程と、
前記第２通信用端末に画像形成装置が接続されていないと判断した場合に、前記画像取得工程により前記画像供給源から画像情報を取得してメモリに記憶する画像記憶工程と、を有することを特徴とする。
【手続補正６】
【補正対象書類名】明細書
【補正対象項目名】００８３
【補正方法】変更
【補正の内容】
【００８３】
また図１１の右側のＵＳＢ接続時の処理フローは、純粋なＰＴＰのSendObjectInfo／SendObjectを利用するため、その説明を省略する。
図２１は、本発明の一実施例の処理フローチャートで、ここではＰＤプリンタ１０００がアダプタ１２００と接続された場合に、アダプタ１２００が実行する初期化処理を説明している。これは不図示の検出器によりアダプタ１２００がＰＤプリンタ１０００と接続されたことを検出することにより開始される。